(57)【要約】【課題】化粧材を塗布量の調節が容易であり、また極めて迅速に高効率で、化粧材を塗布することができる化粧材の塗布具を提供する。【解決手段】塗布具１００は、外筒７０を握持し、押圧部１０を押し込んだときに、内筒４０が軸方向の先端部側に移動し、内筒４０の内面突起が中心部材３０の螺旋溝３１ａ内を相対的に移動し、内筒４０が回転する。押圧部１０を押し切り、押圧を解除すると、弾性力により中心部材３０は戻り、内筒４０の突起が直線溝３１ｂ内を相対的に移動した後、周溝３１ｃ内を移動して、内筒４０が逆回転する。これにより、ブラシが一方向に回転して化粧材が塗布され、逆回転してもとの位置に戻る。【選択図】図１
2008099918.tif 000002
【特許請求の範囲】
【請求項１】
外筒と、前記外筒に対して相対的にその軸方向に直線移動はするが回転移動はしないように前記外筒内に同軸的に配置された中間筒と、この中間筒と同軸的に中間筒内に配置され前記中間筒の軸方向基端部側の端部に固定されると共に外周面を有する中心部材と、前記中心部材と前記中間筒との間にこれらと同軸的に配置された内筒と、この内筒内に挿入され前記内筒の軸方向先端部に固定された回転部材と、この回転部材が中心部を挿通し前記回転部材をその中心軸の回りに回転可能に支持すると共に前記外筒の軸方向他端部に固定された支持部材と、この支持部材に対して前記内筒の反対側に配置され前記支持部材を挿通する回転部材に固定された台座と、この台座に取り付けられた化粧材塗布ブラシと、を有し、前記中心部材の前記外周面には、その軸方向に延び直線溝と、螺旋状に延びる螺旋溝とが前記中心部材の基端部側で接続され、周方向に延びる周溝が前記直線溝及び前記螺旋溝と夫々前記中心部材の先端側で接続されるように形成され、更にており、前記内筒の内面には前記中心部材の前記直線溝、螺旋溝及び周溝に嵌合する突起が設けられており、更に、前記内筒の内面には、前記中心部材に対してその軸方向の前記基端部側に付勢力を付与する第１バネが設けられており、前記支持部材と前記回転部材との間に、前記回転部材の回転に対して引き戻す方向に付勢力を付与する第２バネが設けられていることを特徴とする化粧材の塗布具。
【請求項２】
前記中間筒の外周面にその軸方向に延びる中間筒溝が形成され、前記外筒の内面に突起が設けられていて、前記中間筒溝に前記突起が嵌合されることにより、前記中間筒は、前記外筒に対して相対的にその軸方向に直線移動はするが回転移動はしないことを特徴とする請求項１に記載の化粧材の塗布具。
【請求項３】
前記中心部材の基端部側の部分は前記直線溝、螺旋溝及び周溝が形成された先端部側の部分よりも小径であり、前記中間筒の前記基端部側の端部に前記中心部材の小径部のみ挿通させる係止部が設けられており、前記中心部材における前記係止部から前記基端部側に突出した小径部を嵌合する押圧部が設けられており、前記小径部と前記中間筒と前記押圧部とが前記中間筒の前記基端部側の端部で相互に固定されていることを特徴とする請求項１又は２に記載の化粧材の塗布具。
【発明の詳細な説明】
【技術分野】
【０００１】
本発明は、化粧材の塗布具に関し、特に、マスカラ等のようにマスカラ墨を睫毛に塗布するのに好適な化粧材の塗布具に関する。
【背景技術】
【０００２】
従来、化粧材を塗布するための化粧材の塗布具、特に、マスカラ等の化粧材塗布具においては、マスカラ墨を睫毛に均一に塗布して、塗布ムラを防ぐと共に、なるべく多量のマスカラ墨を睫毛に保持させるために、ブラシ毛の形状及び材質等が改善されてきた（例えば特許文献１）。
【０００３】
【特許文献１】特開２００６−１０２１３６号公報
【発明の開示】
【発明が解決しようとする課題】
【０００４】
しかしながら、上述の従来技術には、以下のような問題点がある。即ち、マスカラ墨を睫毛に均一に塗布し、マスカラ墨を睫毛になるべく多量に保持できるように、ブラシ毛の形状及び材質を改善しても、マスカラ墨を人が手の動きにより睫毛に塗布しているので、塗布ムラ及びダマ等の発生を抑制するのには限界がある。
【０００５】
本発明はかかる問題点に鑑みてなされたものであって、化粧材を塗布量の調節が容易であり、また極めて迅速に高効率で、化粧材を塗布することができる化粧材の塗布具を提供することを目的とする。
【課題を解決するための手段】
【０００６】
本発明に係る化粧材の塗布具は、外筒と、前記外筒に対して相対的にその軸方向に直線移動はするが回転移動はしないように前記外筒内に同軸的に配置された中間筒と、この中間筒と同軸的に中間筒内に配置され前記中間筒の軸方向基端部側の端部に固定されると共に外周面を有する中心部材と、前記中心部材と前記中間筒との間にこれらと同軸的に配置された内筒と、この内筒内に挿入され前記内筒の軸方向先端部に固定された回転部材と、この回転部材が中心部を挿通し前記回転部材をその中心軸の回りに回転可能に支持すると共に前記外筒の軸方向他端部に固定された支持部材と、この支持部材に対して前記内筒の反対側に配置され前記支持部材を挿通する回転部材に固定された台座と、この台座に取り付けられた化粧材塗布ブラシと、を有し、前記中心部材の前記外周面には、その軸方向に延び直線溝と、螺旋状に延びる螺旋溝とが前記中心部材の基端部側で接続され、周方向に延びる周溝が前記直線溝及び前記螺旋溝と夫々前記中心部材の先端側で接続されるように形成されており、前記内筒の内面には前記中心部材の前記直線溝、螺旋溝及び周溝に嵌合する突起が設けられており、更に、前記内筒の内面には、前記中心部材に対してその軸方向の前記基端部側に付勢力を付与する第１バネが設けられており、前記支持部材と前記回転部材との間に、前記回転部材の回転に対して引き戻す方向に付勢力を付与する第２バネが設けられていることを特徴とする。
【０００７】
この化粧材の塗布具において、前記中間筒の外周面にその軸方向に延びる中間筒溝が形成され、前記外筒の内面に突起が設けられていて、前記中間筒溝に前記突起が嵌合されることにより、前記中間筒は、前記外筒に対して相対的にその軸方向に直線移動はするが回転移動はしないように構成することができる。
【０００８】
また、前記中心部材の基端部側の部分は前記直線溝、螺旋溝及び周溝が形成された先端部側の部分よりも小径であり、前記中間筒の前記基端部側の端部に前記中心部材の小径部のみ挿通させる係止部が設けられており、前記中心部材における前記係止部から前記基端部側に突出した小径部を嵌合する押圧部が設けられており、前記小径部と前記中間筒と前記押圧部とが前記中間筒の前記基端部側の端部で相互に固定されているように構成することができる。
【０００９】
本発明によれば、外筒を保持し、中間筒を外筒の長手方向に押し込むように移動させる（先端側に向けて直線移動）と、中間筒に固定された中心部材も軸方向に先端側に向けて移動し、内筒の突起が中心部材の外周面に設けられた螺旋溝に嵌合しているので、内筒は軸方向に移動する螺旋溝に案内されて中心軸の回りに一方向に回転する。これにより、内筒に固定された回転部材が前記一方向に回転し、更に回転部材に固定された台座に取り付けられたブラシが回転し、化粧材が睫毛等に塗布される。中間筒を押し切った後、押込力を開放すると、中心部材は内筒の内面に設けられた第１バネの付勢力により基端部側に向けて押し戻される。このとき、螺旋溝は、基端部側にて直線溝に接続されているので、内筒の突起は、中心部材が第１バネにより押し戻されるときは、中心部材の外周面の直線溝内に嵌合する。従って、中心部材が押し戻されるときは、内筒は回転しない。よって、ブラシも回転しない。
【００１０】
そして、中間筒を押し込み、内筒の突起が相対的に螺旋溝内を移動し、内筒が回転しているときには、内筒に固定された回転部材には第２バネにより引き戻される方向に付勢力が付与されている。このため、回転部材に固定された内筒には第２バネにより引き戻す方向に付勢力が作用しており、第１バネの付勢力により中心部材が基端部側に戻ったときに、内筒の突起は直線溝から周溝内に移動し、更に周溝内を螺旋溝との接続部に向けて移動する。これにより、内筒は、中間筒を押し込んだときの回転方向と逆方向に回転する。
【００１１】
その後、中間筒を再度押し込むと、内筒はその突起が螺旋溝内を移動して回転し、ブラシから化粧材が睫毛等に塗布される。中間筒を押し切り、その後、押圧力を解除すると、内筒は回転せずに基端部側に戻り、基端部側に戻りきったときに、化粧材の塗布時と反対方向に回転する。
【００１２】
このようにして、中間筒を押し込む動作とそれを解除する動作とを繰り返すことにより、中心部材に固定された台座に取り付けられたブラシが、一方向に回転したときの化粧材の塗布が繰り返し実行される。
【００１３】
化粧材の塗布時には、押し込む力を調節することにより、そのブラシの回転速度を微調整することができ、所望の位置に所望の量の化粧材を塗布することができる。そして、押込及び解除動作を繰り返すことにより、ブラシは一方向に回転したときの化粧材の塗布と、逆回転したときの復帰とを繰り返し、極めて迅速に高効率で、化粧材を塗布することができる。
【発明の効果】
【００１４】
本発明によれば、中間筒を押し込む動作とそれを解除する動作とを繰り返すだけで、中心部材に固定された台座に取り付けられたブラシが、一方向に回転し、化粧材の塗布が繰り返す実行されるので、化粧材の塗布時には、押し込む力を調節することにより、そのブラシの回転速度を微調整することができ、所望の位置に所望の量の化粧材を塗布することができるという効果を奏する。そして、押込及び解除動作を繰り返すことにより、ブラシは一方向に間欠的に回転し続けるので、極めて迅速に高効率で、化粧材を塗布することができるという効果を奏する。
【発明を実施するための最良の形態】
【００１５】
以下、本発明の実施形態について、添付の図面を参照して具体的に説明する。図１は、本発明の実施形態に係る塗布具１００の構成部品を示す斜視図、図２（ａ）は押圧部１０を示す正面図、図２（ｂ）は図２（ａ）を矢印Ａからみた側面図、図２（ｃ）は図２（ａ）を矢印Ｂからみた側面図、図３（ａ）は中間筒２０を示す正面図、図３（ｂ）は図３（ａ）を矢印Ａからみた側面図、図３（ｃ）は図３（ａ）を矢印Ｂからみた側面図、図４（ａ）は中心部材３０を示す正面図、図４（ｂ）は図４（ａ）を矢印Ａからみた側面図、図４（ｃ）は図４（ａ）を矢印Ｂからみた側面図、図５は中心部材３０を円周方向の他の角度からみた模式的正面図、図６（ａ）は内筒４０を示す正面図、図６（ｂ）は図６（ａ）を矢印Ａからみた側面図、図６（ｃ）は図６（ａ）を矢印Ｂからみた側面図、図７は押圧部１０、中間筒２０、中心部材３０、内筒４０、回転部材５０、及び台座６０を連結した状態と外筒７０との関係を示す正面図、図８（ａ）は台座６０を示す正面図、図８（ｂ）は図８（ａ）を矢印Ａからみた側面図、図８（ｃ）は図８（ａ）を矢印Ｂからみた側面図である。
【００１６】
図４及び図５に示すように、中心部材３０は、塗布具１００の先端側の大径部３０ａと基端側の小径部３０ｂとを有し、基本的には円柱状をなしているが、大径部３０ａは中心部に軸孔３３が形成されており、従って、大径部３０ａは円筒状をなしている。そして、大径部３０の外周面には、螺旋状に延びる螺旋溝３１ａと、中心部材３０の軸方向に延びる直線溝３１ｂと、周方向に延びる周溝３１ｃとが形成されており、螺旋溝３１ａと直線溝３１ｂとは基端部側で接続され、周溝３１ｃと直線溝３１ｂ及び螺旋溝３１ａとは夫々先端部側で接続されている。なお、螺旋溝３１ａの先端部側の端部は、各構成部材の組立の都合上、中心部材３０の先端部側の端面３０ｃで開口している。これらの溝３１（３１ａ、３１ｂ、３１ｃ）は上述の如く構成されているので、大径部３０の外周面の展開図においては、螺旋溝３１ａ、直線溝３１ｂ及び周溝３１ｃは三角形の各辺を構成する。小径部３０ｂには、ネジ孔３２が形成されている。
【００１７】
また、図３に示すように、中間筒２０には、先端部側に内径が大径の軸方向に延びる円柱状の孔部２４が形成されており、基端部側に内径が小径の軸方向に延びる円柱状の孔部２１が形成されている。そして、大径孔部２４と小径孔部２１との間に、壁状の係止部２５が形成されており、この係止部２５にはその中心部に透孔２５ａが形成されている。また、中間筒２０の外周面には、軸方向に延びる直線状の中間筒溝２３が形成されており、更に、中間筒２０の基端部側には、小径孔部２１に達する透孔２２が形成されている。この大径孔部２４は、後述する内筒４０が嵌入することができる大きさを有しており、小径孔部２１は、後述する押圧部１０が嵌入することができる大きさを有している。また、係止部２５の透孔２５ａは、中心部材３０の大径部３０ａの直径より小さく、小径部３０ｂの直径より大きな内径を有しており、小径部３０ｂは通過させるものの、大径部３０ａは通過させずに係止するようになっている。
【００１８】
押圧部１０は、図２に示すように、先端部側が開口し、基端部側が閉塞した筒状をなし、内部に中心部材３０の小径部３０ｂが挿入される大きさを有する空間１０ｂが形成されている。また、先端開口部１０ａの周面には、厚さ方向に貫通する孔１１が形成されている。
【００１９】
これらの中心部材３０，中間筒２０及び押圧部１０は、中心部材３０をその小径部３０ｂ側から中間筒２０の大径孔部２４内に挿入し、小径部３０ｂを孔２５ａを挿通させて小径孔部２１側に突出させ、この小径孔部２１側に突出した小径部３０ｂの部分に押圧部１０を嵌合し（小径部３０ｂを押圧部１０の内部空間１０ｂに挿入し）、中間筒２０の透孔２２及び押圧部１０の孔１１を挿通させてネジを中心部材３０のネジ孔３２に螺合させることにより、相互に固定されるようになっている。
【００２０】
図６に示すように、内筒４０は、その軸方向の両端部が若干小径で、中央部が若干大径の段差を持つ内周面４１を有しており、この内筒４０の内周面の中央部における若干大径の部分に、圧縮コイルバネ４４がその軸方向を内筒４０の軸方向と一致させて配置されている。そして、内筒４０の基端部側の内周面小径部には、厚さ方向に貫通するネジ孔４３が形成されており、このネジ孔４３内にネジ８０が螺合されている。このネジ８０は、その先端部８０ａが内筒中心部側に内周面４１よりも若干突出するように設けられている。また、内筒４０の先端部側の内周面小径部には、厚さ方向に貫通するネジ孔４２が形成されている。
【００２１】
そして、内筒４０内には、その基端部側から、中心部材３０の大径部３０ａが挿入される。この大径部３０ａは内筒４０の内周面４１に配置された圧縮コイルバネ４４のコイル径より大きく、従って、中心部材３０を内筒４０内に押し込むことにより、中心部材３０は圧縮コイルバネ４４により押し戻される方向に付勢力が付与される。また、中心部材３０を内筒４０内に押し込むときに、内筒４０のネジ８０の先端部８０ａにより形成される突起が、中心部材３０の螺旋溝３１ａの開放端から螺旋溝内に進入するようにすることにより、突起（先端部８０ａ）が螺旋溝３１ａ、直線溝３１ｂ、周溝３１ｃから構成される溝３１内に嵌入される。これにより、中心部材３０が内筒４０に相対的に軸方向に移動したときに、突起（先端部８０ａ）が螺旋溝３１ａ内を移動すると、内筒４０はその軸を中心として回転し、突起が直線溝３１ｂ内を移動すると、内筒４０は回転せず、突起が周溝３１ｃ内を移動すると、中心部材３０と内筒４０とは相対的に軸方向に移動せずに、内筒４０が回転する。
【００２２】
図１に示すように、円板状の支持部材５２の中心突部５３と、回転部材５０の中心突部５４とが接触した状態で、回転部材５０の先端部側の部分が支持部材５２及び中心突部５３に設けた中心孔内を支持部材５２に対して回転可能に挿通している。また、回転部材５０の基端部側の部分は細棒５１となっており、この細棒５１が中心部材３０の軸孔３３内に挿入され、回転部材５０の回転時に回転ぶれが生じないようになっている。そして、支持部材５２には、基端部側に突出するアーム状の取付部５５が固定されている。また、回転部材５０にも、取付部５７が設けられていて、この取付部５５と取付部５７とに、引張バネ５６の両端部が固定されている。これにより、回転部材５０が支持部材５２に対して回転した場合に、引張バネ５６が伸び、回転部材５０の回転に対して、逆方向に（戻す方向に）、回転部材５０に付勢力を与えるようになっている。また、この引張バネ５６は、回転部材５０が支持部材５２から軸方向に抜け出ないように支持している。
【００２３】
回転部材５０には、その細棒５１に隣接する部分に、円柱状の固定部５８が設けられており、この固定部５８が内筒４０の先端部側に挿入され、内筒４０のネジ孔４２にネジを螺合することにより、固定部５８が内筒４０に固定されるようになっている。
【００２４】
回転部材５０における支持部材５２内に挿入された部分には、その先端部に軸方向に伸びるネジ孔（図示せず）が形成されており、ネジ８２の基端部側の部分が螺合するようになっている。また、ネジ８２の先端部側の部分は、台座６０の中心部に設けたネジ孔６１に螺合するようになっている。これにより、台座６０が回転部材５０における支持部材５２の中心孔に挿入された部分に固定され、台座６０が回転部材５０と共に、回転する。この台座６０には、棒状のブラシ９０がその長手方向を回転部材５０の回転軸と平行にして取り付けられている。台座６０には、その回転軸に対して垂直の方向にスライド可能にスライド部材６２が配置されており、このスライド部材６２にブラシ９０を固定するための固定部６２ａが設けられている。そして、スライド部材６２にはそのスライド方向に伸びる長孔６２ａが形成されており、この長孔６２ａにネジ６３を挿入し、スライド部材６２の回転軸に垂直の方向のスライド位置を調節した後、ネジ６３をねじ込むことにより、スライド部材６２が台座６０に固定される。
【００２５】
上述の如く構成された各構成部材は、図７に示すように、押圧部１０、中心部材３０及び中間筒２０が相互に固定される。また、内筒４０と回転部材５０及び台座６０とが相互に固定される。支持部材５２はその基端部側の部分に固定部５９が設けられており、この固定部５９及び中間筒２０の外径は、外筒７０の内径より若干小さい。これにより、外筒７０は中間筒２０及び固定部５９に外嵌される。そして、外筒７０の先端部側の端面は支持部材５２のフランジ部５２ａに接触し、この部分が相互に接合されて、外筒７０と支持部材５２とが固定される。一方、外筒７０には、ネジ孔（図示せず）が形成されており、このネジ孔にネジ７１を螺合させることにより、ネジ７１の先端部が外筒７０内に若干突出するようになっている。このネジ７１の外筒７０の内部に突出する部分は、中間筒２０の外周面に形成された中間溝２３内に嵌合している。これにより、中間筒２０は、外筒７０に対して、外筒７０及び中間筒２０の軸方向には移動できるが、外筒７０に対して相対的に回転することはできない。つまり、中間筒２０は外筒７０に対してその軸方向にのみ移動できる。
【００２６】
次に、本発明の実施形態の動作について説明する。外筒７０を握持し、押圧部１０を外筒内に押し込むと、中間筒２０は、中間筒溝２３に案内されて、先端側に向けて直線移動し、中間筒２０に固定された中心部材３０も軸方向に先端側に向けて移動する。内筒４０は回転部材５０を介して支持部材５２に当接していて、支持部材５２が外筒７０に固定されているので、内筒４０は軸方向に移動しない。そして、このとき、内筒４０の突起（ネジ８０の先端部８０ａ）が中心部材３０の外周面に設けられた螺旋溝３１ａに嵌合しているので、内筒４０は軸方向に移動する螺旋溝３１ａに案内されて中心軸の回りに一方向に回転する。即ち、内筒４０の突起（ネジ８０の先端部８０ａ）は、中心部材３０の先端部側から基端部側に向けて（周溝３１ｃとの接続点から直線溝３１ｂとの接続点に向けて）、中心部材３０に対して相対的に移動するので、回転のみ可能な内筒４０は突起の螺旋溝内移動につれて一方向に回転する。
【００２７】
これにより、内筒４０に固定された回転部材５０が回転し、回転部材５０に固定された台座６０及びブラシ９０が回転する。このブラシ９０の回転により、化粧材が睫毛等に塗布される。押圧部１０を押し切った後、押込力を開放すると、中心部材３０は内筒４０の内面に設けられた第１バネ４４の付勢力により基端部側に向けて押し戻される。このとき、螺旋溝３１ａは、基端部側にて直線溝３１ｂに接続されているので、内筒４０の突起（先端部８０ａ）は、中心部材３０が第１バネ４４により押し戻されるときは、中心部材３０の外周面の直線溝３１ｂ内に嵌合する。従って、中心部材３０が押し戻されるときは、内筒４０は回転しない。よって、ブラシ９０も回転しない。
【００２８】
そして、押圧部１０を介して中間筒２０を押し込み、内筒４０の突起（先端部８０ａ）が相対的に螺旋溝内を移動し、内筒４０が回転しているときには、内筒４０に固定された回転部材５０には第２バネ５６により引き戻される方向に付勢力が付与されている。このため、回転部材５０に固定された内筒４０には第２バネ５６により引き戻す方向に付勢力が作用しており、第１バネ４４の付勢力により中心部材３０が基端部側に戻ったときに、内筒４０の突起（先端部８０ａ）は直線溝３１ｂから周溝３１ｃ内に移動し、更に周溝３１ｃ内を螺旋溝３１ａとの接続部に向けて移動する。これにより、内筒４０は、中間筒２０を押し込んだときの回転方向と逆方向に回転する。内筒４０の突起（先端部８０ａ）は、周溝３１ｃと螺旋溝３１ａとの接続部に位置する。
【００２９】
その後、中間筒２０を再度押し込むと、内筒４０はその突起（先端部８０ａ）が螺旋溝３１ａ内を移動して回転し、ブラシ９０から化粧材が睫毛等に塗布される。押圧部１０を介して中間筒２０を押し切り、その後、押圧力を解除すると、内筒４０は回転せずに基端部側に戻り、基端部側に戻りきったときに、化粧材の塗布時と反対方向に回転する。
【００３０】
このようにして、中間筒２０を押し込む動作とそれを解除する動作とを繰り返すことにより、中心部材３０に固定された台座６０に取り付けられたブラシ９０が、一方向に回転したときの化粧材の塗布が繰り返す実行される。
【００３１】
化粧材の塗布時には、押圧部１０の押込力を調節することにより、そのブラシ９０の回転速度を微調整することができ、所望の位置に所望の量の化粧材を塗布することができる。例えばブラシ９０にマスカラを保持させ、睫毛に当てるときに押圧部１０を外筒７０に対して少しずつ押し込めば、常に新しいブラシ面と睫毛が接触することにより、その部位に多くの量の化粧材等を塗布しつつ、ダマができたり塗布ムラができたりすることを防止することができる。また、押圧部１０の押込力を解除すれば、ブラシ９０はもとの位置に素早く逆回転して戻る。そして、押込及び解除動作を繰り返すことにより、ブラシ９０は一方向に回転したときの化粧材塗布と、逆回転による復帰とを繰り返し、極めて迅速に高効率で、化粧材を塗布することができる。
【００３２】
本発明の実施形態においては、台座６０の先端に取り付ける部材を、マスカラを塗布するブラシ９０とする場合について説明したが、これに限定されず、その他の化粧材等を塗布する塗布ブラシを取り付けることもできる。
【図面の簡単な説明】
【００３３】
【図１】本発明の第１実施形態に係る塗布具１００の構成部品を示す斜視図である。
【図２】（ａ）は押圧部１０を示す正面図、（ｂ）は（ａ）を矢印Ａからみた側面図、（ｃ）は（ａ）を矢印Ｂからみた側面図である。
【図３】（ａ）は中間筒２０を示す正面図、（ｂ）は（ａ）を矢印Ａからみた側面図、（ｃ）は（ａ）を矢印Ｂからみた側面図である。
【図４】（ａ）は中心部材３０を示す正面図、（ｂ）は（ａ）を矢印Ａからみた側面図、（ｃ）は（ａ）を矢印Ｂからみた側面図である。
【図５】中心部材３０を円周方向の他の角度からみた正面図である。
【図６】（ａ）は内筒４０を示す正面図、（ｂ）は（ａ）を矢印Ａからみた側面図、（ｃ）は（ａ）を矢印Ｂからみた側面図である。
【図７】押圧部１０、中間筒２０、中心部材３０、内筒４０、回転部材５０、及び台座６０を連結した状態と外筒７０との関係を示す正面図である。
【図８】（ａ）は台座６０を示す正面図、（ｂ）は（ａ）を矢印Ａからみた側面図、（ｃ）は（ａ）を矢印Ｂからみた側面図である。
【符号の説明】
【００３４】
１０    押圧部
１０ａ  開口部
１０ｂ  空間
１１    孔
２０    中間筒
２１    小径孔部
２２    透孔
２３    中間筒溝
２４    大径孔部
２５    係止部
３０    中心部材
３０ａ  大径部
３０ｂ  小径部
３０ｃ  端面
３１    溝
３１ａ  螺旋溝
３１ｂ  直線溝
３１ｃ  周溝
３２    ネジ孔
３３    軸孔
４０    内筒
４１    内周面
４２    ネジ孔
４３    ネジ孔
４４    コイルバネ
５０    回転部材
５１    細棒
５２    支持部材
５２ａ  フランジ部
５３    中心突部
５４    中心突部
５５    取付部
５６    バネ
５７    取付部
５８    固定部
５９    固定部
６０    台座
６１    ネジ孔
６２    スライド部材
６２ａ  長孔
６３    ネジ
７０    外筒
７１    ネジ
８０    ネジ
８０ａ  先端部（突起）
８２    ネジ
９０    ブラシ
１００  塗布具
【図１】
2008099918.tif 000003
【図２】
2008099918.tif 000004
【図３】
2008099918.tif 000005
【図４】
2008099918.tif 000006
【図５】
2008099918.tif 000007
【図６】
2008099918.tif 000008
【図７】
2008099918.tif 000009
【図８】
2008099918.tif 000010